(57)【要約】【課題】着脱が容易で、装着感のよいサポータを提供する。【解決手段】本発明のサポータは、横長形状の腹巻付け部と、該腹巻付け部の下側に並んで配置された左右の大腿巻付け部と、から成る。腹巻付け部の下辺には、左右の大腿巻付け部の上辺の一部が固定部で接続されて一体となっている。このサポータは、腹部廻りと両脚の大腿部廻りとにそれぞれ別個の巻付け部として巻き付けられて使用する形態であり、各巻付け部を身体の装着位置に直に巻き付けて装着できるので、着脱が容易である。本発明のサポータは、大腿巻付け部が、該大腿巻付け部の外端部側近傍の上辺で腹巻き部に固定されているのが好ましく、大腿巻付け部の両端部の係合部分が、歩行時にこすれやすい内腿部や着座時に座面に接触する大腿部裏側に配置されることがないので、快適に装着できる。【選択図】図１
2004332162.tif 000002
【特許請求の範囲】
【請求項１】
腹部および大腿部用のサポータであって、
該サポータは、腹部に巻き付ける弾性軟質生地から成る横長の腹巻付け部と、両大腿部の各々に巻き付ける弾性軟質生地から成る横長の右側大腿巻付け部および左側大腿巻付け部と、から成り、
上記２つの大腿巻付け部は、腹巻付け部の下側に並んで配置されて、右側大腿巻付け部と左側大腿巻付け部との各上辺の一部が腹巻付け部の下辺の右寄りと左寄りとに固定部を介してそれぞれ固定されて該腹巻付け部と一体とされて、
腹巻付け部の一方の端部には、該腹巻付け部の他方の端部に着脱自在に係合する腹部係合手段を設け、各大腿巻付け部の一方の端部には、当該各大膝巻付け部材の他方の端部に着脱自在に係合する腿部係合手段を設けた腹部および大腿部用のサポータ。
【請求項２】
上記固定部が、サポータ装着時に股関節部位の側部に配置されるように形成された請求項１に記載のサポータ。
【請求項３】
上記固定部が、固定部左右側に形成された切欠き部によってくびれて各大腿巻付け部の長さよりも狭くされている請求項１または２に記載のサポータ。
【請求項４】
各大腿巻付け部が、該大腿巻付け部の外端部側近傍の上辺で腹巻付け部に固定されている請求項１ないし３のいずれかに記載のサポータ。
【請求項５】
腹巻付け部および大腿巻付け部が、適度の保温性と通気性とを有する厚肉の軟質布地から成形された請求項１ないし４のいずれかに記載のサポータ。
【請求項６】
腹部係合手段が、腹巻付け部の表面のパイル地に係合する面ファスナであり、腿部係合手段が、大腿巻付け部の表面のパイル地に係合する面ファスナである請求項１ないし５のいずれかに記載のサポータ。
【発明の詳細な説明】
【０００１】
【発明の属する技術分野】
本発明は、腹部および大腿部に巻き付けて使用されるサポータに関し、特に着脱容易で装着感のよいサポータに関する。
【０００２】
【従来の技術】
従来から、腹部および大腿部を保温するための肌着が利用されており、その中には、保温効果以外に痩身効果を期待するものがあり、例えば、ゴムなどの気密性の高い生地から成り皮膚と密着するように成形された肌着などがあった。このような肌着は、通常はウエストから大腿部までを覆う丈を有し、２つの大腿部用筒状体と腹部や臀部等を覆う腹部筒状部とが一体に成形されており、装着時には、腹部筒状体から大腿部用筒状に脚部を挿入したのちに腹部筒状体の上辺を把握して引き上げていた。
【本発明が解決しようとする課題】
【０００３】
しかし、上記の肌着は、身体に密着するように、例えば、ウエスト部に配置される肌着の腹部筒状体の上辺は小さい寸法に、成形されているので、肌着の装着時にその上辺を腹部や臀部を通過させることが容易でなく、着脱が不便であり、また、上辺が装着の度に引き伸ばされるので、他の部分よりも損傷して劣化しやすく肌着の寿命を縮めていた。さらに、上記の肌着は、吸湿性の低い生地から成るので、長時間の装着では発汗によって不快感が高くなり、皮膚に疾患が現れる惧れもあった。
【０００４】
また、上記の肌着は、通常は身体外形に沿うように適宜裁断されるので、多数の裁断布片を準備し、それらを適切に縫合する必要があって、裁断縫製作業の工程が多く且つ煩雑であった。また、縫合により形成された縫い目は、肌着の装着時には皮膚に接触し、特に、内腿の付け根部のように皮膚が薄い部位では、縫い目が食い込んで痛みを感じたり、さらに歩行や運動により縫い目と肌とが摩擦して皮膚が損傷することがあった。
【０００５】
そこで、本発明は、従来の保温性肌着に代えて利用でき、着脱が容易で、装着感のよい腹大腿用サポータを提供することを目的とする。
【０００６】
【課題を解決するための手段】
本発明のサポータは、横長形状の腹巻付け部と、該腹巻付け部の下側に並んで配置された左右の大腿巻付け部と、から成り、腹巻付け部の下辺に左右の大腿巻付け部の上辺の一部が固定部によって接続されて一体とされている。
【０００７】
本発明のサポータは、腹巻付け部と左右の大腿巻付け部とが、腹部廻りと両脚の大腿部廻りとに、それぞれ別個の巻付け部として巻き付けられて使用する形態であり、各巻付け部を身体の装着部位に直に巻き付けて装着できるので、各巻付け部が直接に担当部位を保温することができ、また、着脱の際にサポータ上辺を引き伸ばしながら臀部や腰部を通過させることがなく装着が容易であり、さらに、上辺を装着の度に引き伸ばすことがないので、上辺の損傷、劣化によりサポータの寿命が縮むことが抑えられる。
【０００８】
本発明のサポータは、筒状でなく平らに展開できるので、少数の平坦な裁断布片から構成することができ、縫合箇所も少ないので、製造が容易である。また、サポータは、大腿巻付け部のうち腹巻付け部に固定されていない自由な部分を内腿部に捲回して装着するので、内腿部の付け根には縫い目が接触することがなく、内腿の付け根部が損傷することがない。
【０００９】
【発明の実施の形態】
本発明のサポータは、腹部および大腿部用のサポータであって、該サポータは、腹部に巻き付ける弾性軟質生地から成る横長の腹巻付け部と、両大腿部の各々に巻き付ける弾性軟質生地から成る横長の右側大腿巻付け部および左側大腿巻付け部と、から成っており、これら２つの大腿巻付け部は、腹巻付け部の下側に並んで配置されて、右側大腿巻付け部と左側大腿巻付け部との各上辺の一部が腹巻付け部の下辺の右寄りと左寄りとに固定部を介してそれぞれ固定されて、該腹巻付け部と一体とされて、腹巻付け部の一方の端部には、該腹巻付け部の他方の端部に着脱自在に係合する腹部係合手段を設け、各大腿巻付け部の一方の端部には、当該各大腿巻付け部の他方の端部と着脱自在に係合する腿部係合手段を設けている。
【００１０】
腹巻付け部は、腹部および腰部の腹部廻りに巻付けて固定して、腹部と腰部との保温に使用される。腹巻付け部は、平坦な横長形状の帯状布片で形成することができ、少なくとも腹部と腰部とを上下方向に十分に覆うことができる幅と、腹部と腰部とに巻き付けることができる長さとに成形される。腹巻付け部の幅は、用途に合わせて変えることができ、例えば、腹部と胸部の上部または中間まで達するように長くして保温できる範囲を広くすることができる。
【００１１】
２つの大腿巻付け部は、両脚の大腿部にそれぞれに巻付けて、各大腿部をそれぞれ保温するのに利用される。大腿巻付け部は、平坦な帯状布片で形成することができ、大腿部を適切に覆うことのできる幅と、大腿部に巻き付けることができる長さとに成形される。大腿巻付け部の幅は、用途に合わせて変えることができるが、装着時に膝関節の動作を阻害しないように膝部に達しない長さにするのが好ましい。
【００１２】
両側の大腿巻付け部と腹巻付け部とは、各大腿巻付け部の上辺の一部が、腹巻付け部の下辺に固定部を介して固定されているが、その固定部は、歩行や着座をするときに股関節の前後の屈伸を阻害しにくい股関節部位の側部に配置されるのが好ましい。サポータ装着時に固定部が股関節部位の側部に配置されるようにするために、通常は、固定部は、腹巻付け部の左右の端部から腹巻付け部の長さの１／４〜１／３だけ内側の位置に設定できるが、サポータの寸法や使用者の体型によって適宜変更することができる。
【００１３】
各大腿巻付け部と腹巻付け部とを固定する各固定部は、各固定部左右側に形成された切欠き部によってくびれて大腿巻付け部の長さよりも狭くされているのが好ましい。各固定部の幅は、大腿巻付け部の長さの１／５〜２／３であるのが好ましく、固定部の幅が１／５より狭いと大腿巻付け部と腹巻付け部との固定が安定せず装着しにくくなり、固定部の幅が２／３より広いと大腿巻付け部を大腿部に捲回しにくくなる。さらに、固定部の幅が、大腿巻付け部の長さの１／４〜１／２であるのがより好ましい。
【００１４】
大腿巻付け部は、上述のように、その上辺の一部が、腹巻付け部の下辺に固定部で固定されるが、特に、固定部の大腿巻付け部の中央よりも外端部側近傍の上辺で固定されるのが好ましい。ここで外端部とは、各大腿巻付け部の左右の端部うち、サポータを展開したときにサポータの外側に配置されている端部を指している。このような大腿巻付け部は、上記外端部の反対に位置する内端部が大きく突出して、装着時にはその内端部が大腿部の内腿部に巻き回されて大腿部前面から側面にまで達することができる。よって、大腿巻付け部の係合手段が内腿側に配置されて歩行を阻害したり、大腿部裏面に配置されて着座時の障害になることがない。
【００１５】
腹巻付け部は、平坦な布地から平坦に形成されてもよいが、特に身体の曲線に合わせて立体裁断して縫合されたものが好ましい。立体裁断・縫合としては、例えば、平面状に成形した布地にタックや切欠きを形成して部分的に外周の長さを変える方法や、適切な形状に裁断した複数の布辺を縫合して一体にする方法などがある。特に、布地を部分的に切開したスロットを用いる方法が好ましく、まず平坦な横長の布辺に縦方向に中央部が幅広のスロットを形成して、次いで該スロットの対向する長縁部を縫合などにより接合して立体裁断・縫製することができる。
【００１６】
腹巻付け部および左右両側の大腿巻付け部は、圧縮ウレタンなど適度の保温性と通気性とを有する厚肉の軟質布地から成形されるのが好ましく、長時間の装着で発汗しても装着感を良好に保つことができる。また、これらの巻付け部の裏面に、肌触りがよく吸湿性のある薄地の軟質生地を接着するのが、皮膚に直に装着した場合の装着感が良好になるのでより好ましい。
【００１７】
腹部係合手段および腿部係合手段には、面ファスナーを用いるのが、着脱自在であり係合位置が任意に調節できるので好ましい。腹部係合手段には、腹巻付け部の一方の端部にフック面ファスナを取着し、他方の端部の表面にパイル地を取着することができる。同様に、腿部係合係合手段には、大腿巻付け部の一方の端部にフック面ファスナを取着し、他方の端部の表面にパイル地を取着することができる。
【００１８】
【実施例】
図１には本発明のサポータ１の正面図を、図２および３にはサポータ１の背面図を示すが、横長形状の腹巻付け部２と、右大腿部に巻き付ける右側大腿巻付け部４と、左大腿部に巻き付ける左側大腿巻付け部５と、から成っており、これら２つの大腿巻きつけ部４、５は、腹巻付け部２の下方に配置されている。
【００１９】
腹巻付け部２の下辺２２には、上記２つの大腿巻付け部４、５の各上辺４２、５２の一部が、固定部６３、６３で接続されている。固定部６３、６３の中心位置は、この例では、腹巻付け部２においてはその下辺２２の両端部から腹巻付け部２の長さの約１／３だけ内側であり、また、各大腿巻付け部４、５においては固定部６３、６３の中心位置は外端部４３、５３に偏った位置である。固定部６３、６３は、その両側部に切欠き部６１、６２を形成して狭幅にしてある。この例では、固定部６３、６３の幅Ｄは、大腿巻付け部４、５の長さＬの約１／２である。
【００２０】
この例では、腹巻付け部２の右側部２ａと右大腿部用の右側大腿巻付け部４とが１枚の布片で、また腹巻付け部２の左側部２ｂと左大腿部用の左側大腿巻付け部５とがもう１枚の布片で成形され、腹巻付け部２の右側部２ａと左側部２ｂとを縫合部１１で縫合してサポータ１としている。尤もこれに限定されず、例えば、１枚の布片から成形した腹巻き部材２と、２枚の布片からそれぞれ成形した大腿巻付け部材４、５とを、おのおの所定の固定位置で縫合して固定部６３、６３を形成することもできる。
【００２１】
腹巻付け部２には、４つの立体裁断縫合部２３が形成されており、サポータ装着時にサポータの腹巻付け部２が腰部のくびれに容易に沿うようにされている。立体裁断縫合部２３は、中央部が幅広のスロットを腹巻付け部２の縦方向に形成し、そのスロットの対向する長縁部を引き寄せて接触させた状態で縫合して固定することによって形成される。
【００２２】
本実施例では、腹巻付け部２と左右の大腿巻付け部４、５とは、肉厚の圧縮ウレタンから成形されており、その表面にはナイロンとポリウレタンから成るループ生地が、裏面にはナイロンジャージ生地が、それぞれ取着されている。
【００２３】
図２および図３に示すように、腹巻付け部２の右端部２１の裏面にはフック面ファスナ２９が取着されており、装着時には、腹巻付け部２の左端部２７表面に取着されているループ生地に着脱自在に係合する。また、左右の大腿巻付け部４、５の内端部４１、５１にはフック面ファスナ４９、５９が取着されており、それぞれのフック面ファスナ４９、５９は、装着時には左右の大腿巻付け部４、５の外端部４３、５３表面に取着されているループ生地に着脱自在に係合する。
【００２４】
サポータ１の装着に際して、図５に示すように腹巻付け部２を縫合部１１を後背部の中心に配置して左右の端部２１、２９をそれぞれ腹部前面に巻き回して、腹部前面で右端部２１のフック面ファスナ２９と左端部２７の表面とを係合して固定される。大腿巻付け部４、５は、例えば右側大腿巻付け部４では、大腿部前面に外端部４３を配置し、内端部４１を大腿部の裏側から大腿部前面に巻き回して、大腿部前面で内端部４１のフック面ファスナ４１と外端部４３の表面とを係合して固定される。左側大腿巻付け部５も、同様に装着される。
【００２５】
本発明のサポータ１を装着すると、固定部６３、６３が股関節部位の側部に位置して、切欠き部６２、６２が大腿部付け根の前面部に配置されるので、歩行や運動の時の股関節の屈曲を妨げることがない。また、このサポータは、股間部には、布地が配置されず露出しているので、サポータを装着したまま用便を済ますことができて頻繁な着脱が不用になる。
【００２６】
サポータ１の装着は、腹巻付け部２を固定して、次いで左右の大腿巻付け部４、５を固定する順番で装着可能であるが、他の順番で装着することもできる。例えば、まず左右の大腿巻付け部４、５を、大腿部よりも太い筒状になるように内端部４１、５１と外端部４３、５３とを係合して、その筒状の大腿巻付け部４、５に脚部を挿入して図４に示すように大腿部まで引き上げて、次に腹巻付け部２を腹部に巻き回して腹部前面で係合固定する。その後、大腿巻付け部４、５を大腿部の太さに合わせて係合しなおすことにより、図５に示すようにサポータ１が装着される。
【００２７】
【発明の効果】
本発明のサポータは、腹巻付け部と２つの大腿巻付け部とで構成されており、それらの巻付け部を巻き付けて装着できるので、装着が容易であり且つ上辺の損傷、劣化によりサポータの寿命が縮むことが抑えられる。また、平面横長形状の腹巻付け部と大腿巻付け部とを固定部で固定するという簡単な構造であるので製造容易であり、製造コストを抑えることができ、さらに、内腿部の付け根に縫い目が接触することがないので内腿の付け根部を損傷することがなく、長時間の装着でも快適に使用できる。
【００２８】
本発明のサポータでは、大腿巻付け部と腹巻付け部との固定位置が、サポータ装着時に股関節部位の側部に配置されるように形成すれば、歩行や運動時の股関節の屈曲を妨げない。
【００２９】
また、大腿巻付け部と腹巻付け部とを固定する固定部を狭幅にして、固定部の幅を大腿巻付け部の長さの１／５〜２／３にすれば、装着する時に大腿巻付け部と腹巻付け部との固定が安定して装着しやすく、また、大腿巻付け部の巻き回しがしやすくなる。
【００３０】
本発明のサポータは、大腿巻付け部が、該大腿巻付け部の外端部側近傍の上辺で腹巻き部に固定されていれば、大腿巻付け部の両端部の係合部分が、歩行時にこすれやすい内腿部や着座時に座面に接触する大腿部裏側に配置されることがないので、快適に装着できる。
【００３１】
腹巻付け部は、縦方向に配置した中央部で幅広にされたスロットを、該スロットの対向する長縁部を接触させて固定することにより立体裁断縫合部が形成されていれば、腰部の曲線に適合しやすくなって装着感がより改善される。また、上記の立体裁断・縫合は、形成容易であり製造工程を複雑にすることがない。
【００３２】
腹巻付け部および大腿巻付け部が、適度の保温性と通気性とを有する厚肉の軟質布地から成形されると、発汗しても快適に装着できる。本発明のサポータは、例えば、発汗による痩身を促進するための身体用塗布剤（通称、エステティック用ジェルなど）を塗布した後に装着すると、保温機能により発汗を促して痩身効果を補助できる上に汗を放散して長時間に渡って快適である。
【００３３】
腹部係合手段が、腹巻付け部の表面のパイル地に係合する面ファスナであり、腿部係合手段が、大腿巻付け部の表面のパイル地に係合する面ファスナであると、サポータの係合の着脱が自在かつ容易になる。
【図面の簡単な説明】
【図１】本発明の実施例にかかるサポータの正面図である。
【図２】本発明の実施例にかかるサポータの裏面図である。
【図３】本発明の実施例にかかるサポータの裏面図である。
【図４】本発明の実施例にかかるサポータの装着中の斜視図である。
【図５】本発明の実施例にかかるサポータを装着した正面図である。
【符号の説明】
１      サポータ
２      腹巻付け部
２ａ    腹巻付け部の右側部
２ｂ    腹巻付け部の左側部
２２    腹巻付け部の下辺
２５    腹巻付け部の上辺
４      右側大腿巻付け部
４１    右側大腿巻付け部の内端部
４４    右側大腿巻付け部の外端部
５      左側大腿巻付け部
５１    左側大腿巻付け部の内端部
５４    左側大腿巻付け部の外端部
６３    固定部
６１、６２  切欠き部
Ｄ      固定部の幅
Ｌ      大腿巻付け部の長さ
【図１】
2004332162.tif 000003
【図２】
2004332162.tif 000004
【図３】
2004332162.tif 000005
【図４】
2004332162.tif 000006
【図５】
2004332162.tif 000007